(57)【要約】【課題】２軸方向に調整可能とする。【解決手段】アンテナ支持装置は，アンテナ装置と固着される基体と，設置面に取付ける為の固定板と，前記基体と固定板と間に介設される固定板と，を備え，前記固定板の一方側は，上記可動体の一方側に設けた第１の枢着点に枢着して，当該可動体の遥動を自在にし，その固定板の他方側には遥動方向に長い第１の長溝を設け，その第１の長溝内には前記固定板側から可動体遥動止用の第１の締付具を可動体に突設させ，前記基体は，前記可動体に設けた第１の枢着点の軸線方向に直交する方向であって，該枢着点から等しい距離だけ離れた軸線上の位置となるように前記可動体に設けた第２の枢着点に枢着して，前記可動体の遥動方向に対して直交する方向に遥動を自在とし，その基体の他方側には基体の遥動方向に長い第２の長溝を設け，その第２の長溝内には前記基体側から基体遥動止用の第２の締付具を可動体に突設させる。【選択図】  図１
2006041725.tif 000002
【特許請求の範囲】
【請求項１】
アンテナ装置と設置面の間に介設して前記アンテナ装置を設置面に対して取付けるようにしてあるアンテナ支持装置において，
前記支持装置は，アンテナ装置と固着される基体と，設置面に取付ける為の固定板と，前記基体と固定板と間に介設される可動体と，を備え，
前記固定板の一方側は，上記可動体の一方側に設けた第１の枢着点に枢着して，当該可動体の遥動を自在にすると共に，その固定板の他方側には遥動方向に長い第１の長溝を設け，その第１の長溝内には前記固定板側から可動体遥動止用の第１の締付具を可動体に突設させ，
更に，前記基体は，前記可動体に設けた第１の枢着点の軸線方向に直交する方向であって，該枢着点から等しい距離だけ離れた軸線上の位置となるように前記可動体に設けた第２の枢着点に枢着して，前記可動体の遥動方向に対して直交する方向に遥動を自在とすると共に，その基体の他方側には基体の遥動方向に長い第２の長溝を設け，その第２の長溝内には前記基体側から基体遥動止用の第２の締付具を可動体に突設させ，たことを特徴としたアンテナ装置の支持装置。
【請求項２】
前記アンテナ装置及び前記アンテナ支持装置は，衛星ディジタル放送用であることを特徴とした請求項１に記載のアンテナ支持装置。
【発明の詳細な説明】
【技術分野】
【０００１】
本発明は，主に衛星からの電波を受信するアンテナ装置に利用されるアンテナ支持装置に関し，詳しくはそのアンテナ支持装置の構造に関する。
【背景技術】
【０００２】
例えばＧＰＳ用のアンテナ装置は，車のトランクルームや屋根などに固着したり，車内のダッシュボード等に載置したりして，アンテナ装置が機械的に安定するように取付けられると共に，受信性能に影響を及ぼさないように取付けるのが一般的であった。
ところが，例えば車輛のトランクリッドのように，車種によって平坦に近いものや，極端に湾曲しているものに対して，従来のようにアンテナ支持装置がアンテナ装置の裏面に対して平行に固定されているのものであれば，トランクリッドの湾曲率が大きいと，取付けられたアンテナ支持金具がトランクリッドの表面に沿わず，固定部の反対側が浮いてしまい，取付け安定性が悪くなる。そのため走行に伴う振動の影響を受け易い欠点があった。又浮いた部分に外力が加わると，トランクのリッドの一部が曲がったり傷付いたりしてしまうなどの欠点もあった。トランクリッドに対応できるように金具の一部が可動可能に構成されたものが提案されている。
（例えば，特許文献１参照）
【０００３】
【特許文献１】実開平６−２９２１２号公報
【発明の開示】
【発明が解決しようとする課題】
【０００４】
しかし，近年においては衛星を用いた移動体用の衛星ディジタル放送が始まることになり，ＧＰＳ用のアンテナのような小型のアンテナを使用して，音楽放送やデータ放送ばかりでなく映像も含めて，移動体において，該移動体に専用端末を備えることで受信できるようになる。このシステムでは衛星から送信される信号はＳバンドであり，受信アンテナとしては小型のもので受信可能であり，移動体の代表例としての自家用車ばかりでなく，バス，鉄道，飛行機等の各種の移動体でも受信できるように，前記受信用アンテナ装置を設置することも考えられている。
このように，自家用・公共に使用される各種の移動体ばかりでなく，固定受信に利用しようと考えられるものに，前記衛星ディジタル放送の信号を受信するアンテナ装置を設置しようとする場合，移動体の形状や，その利用環境に最適に細かく対応させることができれば，それぞれの設置条件において最適な受信が可能とすることができる。ところが従来のアンテナ装置のように，アンテナ装置を略水平方向になるように配置することで，車に機械的に安定するように載置し，また，アンテナ装置の特性に影響の無いようにする取付方法だけでは，各移動体に最適なアンテナ装置の取付けを行う，といった目的が達成できないといった問題があった。
また，各移動体に最適にアンテナ装置を取付けようとする場合，数種類のアンテナ支持装置を用意する方法が考えられるが，この方法によれば設計に手間がかかるばかりでなく，部材管理や生産数の細分化により製品コストがアップすることになり，延いてはユーザーがそのコストを負担することになるといった問題もあった。
そこで本願においては，こうした問題点を解決するためになされたものであり，
その目的は，設置面に対して２軸の方向調整が自在に固着可能なアンテナ支持装置を提供することにある。
他の目的は，簡単な構成でアンテナ装置の方向調整が可能なアンテナ支持装置を提供することにある。
他の目的は，移動体に設置するさいに，該移動体にアンテナ装置が最適に対応できるように，移動体の取付け設置面に対して２軸の方向調整が自在に固着可能な移動体に最適なアンテナ支持装置を提供することにある。
他の目的は，移動体に設置するさいに，該移動体にアンテナ装置が最適に対応できるように，簡単な構成でアンテナ装置の方向調整が可能な移動体に最適なアンテナ支持装置を提供することにある。
他の目的は，衛星ディジタル放送に最適なアンテナ装置を設置するためのアンテナ支持装置を提供することにある。
他の目的及び利点は図面及びそれに関連した以下の説明により容易に明らかになるであろう。
【課題を解決するための手段】
【０００５】
上記課題を解決するために，請求項１の発明は，アンテナ装置と設置面の間に介設して前記アンテナ装置を設置面に対して取付けるようにしてあるアンテナ支持装置において，前記支持装置は，アンテナ装置と固着される基体と，設置面に取付ける為の固定板と，前記基体と固定板と間に介設される固定板と，を備え，前記固定板の一方側は，上記可動体の一方側に設けた第１の枢着点に枢着して，当該可動体の遥動を自在にすると共に，その固定板の他方側には遥動方向に長い第１の長溝を設け，その第１の長溝内には前記固定板側から可動体遥動止用の第１の締付具を可動体に突設させ，更に，前記基体は，前記可動体に設けた第１の枢着点の軸線方向に直交する方向であって，該枢着点から等しい距離だけ離れた軸線上の位置となるように前記可動体に設けた第２の枢着点に枢着して，前記可動体の遥動方向に対して直交する方向に遥動を自在とすると共に，その基体の他方側には基体の遥動方向に長い第２の長溝を設け，その第２の長溝内には前記基体側から基体遥動止用の第２の締付具を可動体に突設させた。
【０００６】
前記アンテナ装置及び前記アンテナ支持装置は，衛星ディジタル放送用に構成される。
【発明の効果】
【０００７】
請求項１の発明によれば，アンテナ装置と設置面の間に介設して前記アンテナ装置を設置面に対して取付けるようにしてあるアンテナ支持装置において，前記支持装置は，アンテナ装置と固着される基体と，設置面に取付ける為の固定板と，前記基体と固定板と間に介設される固定板と，を備え，前記固定板の一方側は，上記可動体の一方側に設けた第１の枢着点に枢着して，当該可動体の遥動を自在にすると共に，その固定板の他方側には遥動方向に長い第１の長溝を設け，その第１の長溝内には前記固定板側から可動体遥動止用の第１の締付具を可動体に突設させ，更に，前記基体は，前記可動体に設けた第１の枢着点の軸線方向に直交する方向であって，該枢着点から等しい距離だけ離れた軸線上の位置となるように前記可動体に設けた第２の枢着点に枢着して，前記可動体の遥動方向に対して直交する方向に遥動を自在とすると共に，その基体の他方側には基体の遥動方向に長い第２の長溝を設け，その第２の長溝内には前記基体側から基体遥動止用の第２の締付具を可動体に突設させたので，
簡単且つ安価に，アンテナ支持装置を設置すべき設置面の状態や，アンテナ装置を設置する場所の周囲状態に対応させて，アンテナ装置の特性が最適化されるようにアンテナ装置の設置方向を２軸方向に任意に調整できるアンテナ支持装置を提供することができるのである。
【０００８】
請求項２の発明によれば，請求項１に記載の前記アンテナ装置及び前記アンテナ支持装置は，衛星ディジタル放送用に構成したので，
簡単且つ安価に，衛星ディジタル放送受信において，アンテナ支持装置を設置すべき設置面の状態や，アンテナ装置を設置する場所の周囲状態に対応させて，アンテナ装置の特性が最適化されるようにアンテナ装置の設置方向を２軸方向に任意に調整できる衛星ディジタル放送受信用のアンテナ支持装置を提供することができるのである。
【発明を実施するための最良の形態】
【０００９】
以下に，本発明を具体化した実施形態の例を，図面を基に詳細に説明する。
図１は本発明に係るアンテナ支持装置の分解斜視図である。
【実施例１】
【００１０】
本発明に係るアンテナ支持装置１は，１０に示す固定板と，２０に示す可動体と，３０に示す基体とから構成される。
固定板１０は，本発明のアンテナ支持装置１を設置すべき設置面に固着する略四角形状をした底板１１と，該底板１１の相対向する辺に上方に突設させた側板１２，１２とからなり，例えば金属材料を折り曲げ成形したものである。この底板１１は特に図示されていないが，周知の固定方法でもって取付面に固定するように構成されている。側板１２，１２には，該側板の一方側に透孔１３，１３が夫々形成されていると共に，他方側には前記透孔１２の軸線を中心とした円弧を描く第１の長溝１４，１４が形成されている
【００１１】
可動体２０は，断面略ロ字形状に形成されており，該可動体の側板２２，２２の外面側と，前記固定板１０の側板１２，１２の内面側とは，摺動可能に当接するように形成されている。また，可動体２０の側板２２，２２には前記固定板１０の側板１２，１２に形成した透孔１３，１３及び第１の長溝１４，１４と対向する位置に，ネジ孔２３，２３，及び２４，２４が形成されている。このネジ孔２３，２３及び２４，２４には，ネジ棒４３，４３，４４，４４が固体板１０の側板１２，１２の外側方向から透孔１３，１３，１４，１４を介して羅着されることによって，前記可動体２０のネジ孔２３を第１の枢着点（図中Ｘ−Ｘ線）として前記固定板１０と枢着されると共に，前記第１の長溝１４，１４の範囲内において，前記可動体２０の上下方向の遥動自在に固着可能に構成されている。
【００１２】
更に，可動体２０の前面２５の上端部には，前面２５の長手方向の中心位置となるようにネジ孔２６が形成されると共に，当該ネジ孔２６の軸線を中心として，夫々同じ寸法だけ離れた位置であって，前面２５の両端部にはネジ孔２７，２７が形成されている。
また，可動体２０の後面２８には，前記前面２５に形成されたネジ孔２６と同一軸線となる位置に，ネジ孔２９が形成されている。
尚，本発明の実施例ではこの可動体２０は，合成樹脂材を用いて成型したものであるが，金属材料を用いて同様な効果を持つよう構成しても良い事は言うまでもない。
【００１３】
次に，基体３０について説明する。基体３０はアンテナ装置２を取付ける為の取付孔３１ａ，３１ａ，３１ａ，３１ａ，を備えた取付部３１と，当該取付部３１の前面側に前記取付部３１と一体成形された折返部３２とからなる。
該折返部３２の長手方向の中心位置には，この基体３０を前記可動体２０に載置した時に，該可動体２０に形成したネジ孔２６と対向する位置に透孔３６が，ネジ孔２７，２７と対向する位置に第２の長溝３７，３７が形成されている。前記第２の長溝は，前記基体３０に形成された透孔３６の軸線を中心とした円弧を描くように形成されている。
また，取付部３１の後方部には透孔３９を形成した切起部３３が形成されている。この透孔３９の位置は，前記透孔３６の軸線と同一軸線上となるように形成してある。
【００１４】
このように形成された基体３０は，可動体２０に形成されたネジ孔２６及び２９を第２の枢着点とするように，基体３０の前面及び後面の外側方向からネジ棒４６，４９でもって透孔３６，３９を介して羅着されると共に，基体３０の折返部３２の外側方向から透孔３７，３７を介して，ネジ棒４７，４７を可動体のネジ孔２７，２７に螺着するように構成されている。これによって，基体３０はネジ孔４６及び４７の軸線（図中のＹ−Ｙ線）を回転軸として，前記第２の長溝３７，３７の範囲内において遥動自在に固着されるように構成されている。
尚，アンテナ装置２は本発明の実施例によれば，アンテナ装置に対して，ネジ棒４１，４１，４１，４１で基体３０に固着するように形成されている。
【００１５】
このように本発明の実施例によれば，アンテナ装置２と設置面の間に介設して前記アンテナ装置２を設置面に対して取付けるようにしてあるアンテナ支持装置１において，前記アンテナ支持装置１は，アンテナ装置２と固着される基体３０と，設置面に取付ける為の固定板１０と，前記基体３０と固定板１０と間に介設される可動体２０とを備え，前記可動体２０は前記固定板１０に対して一方を枢着されて他方向側が上下する方向に遥動自在となり，且つ，前記基体３０は前記可動体２０に対して中心を枢着されて両端側が上下する方向に遥動自在とされることによって，アンテナ支持装置１を設置すべき設置面の状態や，アンテナ装置２を設置する場所の周囲状態に対応させて，アンテナの特性が最適化されるようにアンテナ装置２の設置方向を２軸方向に調整できるアンテナ支持装置を提供することができるのである。
【００１６】
尚，本発明は上記実施の形態に限定されるものではなく，例えば本実施例の如くネジ棒４３，４３，４６，４９は各部の枢着用として使用し，ネジ棒４４，４４，４７，４７は固着用として使用し，各ネジ棒を例えばボックスドライバー等で止着するように構成しても良いし，固着用のネジ棒４４，４４，４７，４７の螺子頭にツマミを具備させることによって，特別に工具を用意することも無くネジ棒４４，４４，４７，４７をしっかりと指先で止着できるように構成してもよいなど，本発明の趣旨を逸脱しない範囲で各部の構成を適宜に変更して実施することも可能である。
【図面の簡単な説明】
【００１７】
【図１】本発明に係るアンテナ支持装置の分解斜視図である。
【符号の説明】
【００１８】
１…アンテナ支持装置，２…アンテナ装置，１０…固体板，１１…底板，１２…側板，１３…透孔，１４…第１の長溝，２０…可動体，２２…側板，２３…透孔，２４…透孔，２５…前面，２６…ネジ孔，２７…ネジ孔，２８…後面，２９…ネジ孔，３０…基体，３１…取付部，３１ａ…透孔，３２…折返部，３３…切起部，３４…，３５…，３６…透孔，３７…第２の長溝，３９…ネジ孔，４１…ネジ棒，４３…ネジ棒，４４…調整用のネジ棒，４６・４９…ネジ棒，４７…ネジ棒
【図１】
2006041725.tif 000003